(57)【要約】【課題】  付着した汚れが染みになり難いと共に汗をかいても蒸れ難い釣り用着衣類を提供しようとするもの。【解決手段】  汚れが付着する可能性がある外装側の生地層１とその内装側の防水・透湿層２とが積層され、前記外装側の生地層１は生地の構成繊維の１本１本が撥水性と撥油性とを有する。フッ素樹脂コートをスプレーした場合のような生地の表面だけではなく、生地全体として構成繊維そのもの自体が撥水性と撥油性とを発揮できる構造であり、これにより汚れが長時間付着してもこれを弾いて染み込まないようすることができ、各繊維から洗い落とし易い防汚性を発揮させることができる。【選択図】  図１
2006193853.tif 000002
【特許請求の範囲】
【請求項１】
汚れが付着する可能性がある外装側の生地層（１）とその内装側の防水・透湿層（２）とが積層され、前記外装側の生地層（１）は生地の構成繊維の１本１本が撥水性と撥油性とを有することを特徴とする釣り用着衣類。
【請求項２】
前記外装側の生地層（１）は、撥水性と撥油性とを付与する組成物で処理された生地よりなる請求項１記載の釣り用着衣類。
【請求項３】
前記外装側の生地層（１）は、撥水剤と撥油剤とが練り込まれた繊維により形成された生地よりなる請求項１記載の釣り用着衣類。
【発明の詳細な説明】
【技術分野】
【０００１】
この発明は、フィッシング・ウェア、ベスト、ズボン、帽子、手袋などの釣り用の着衣類に関するものである。
【背景技術】
【０００２】
従来より釣りは広く人気があるレジャーであり、一般的に釣行時には降雨時も大丈夫なような防水性のウェアが着用されている。
【０００３】
ところで釣りの際には、餌とするオキアミや釣った魚の血などがウェアに付着して汚れてしまうことが多い。またイカ釣りの場合には、釣り上げたイカが吐き出したイカ墨がウェアに付着することがある。
【０００４】
このため、出掛ける前にウェアの表面にフッ素樹脂コート・スプレーで撥水処理を施しておき、またウェアに付着した汚れはその場で手で生地から掃い落とすのであるが、気付かずにそのまま残っていることもあり、このような汚れが経時的に生地内に染み込んでいって最終的に洗濯しても落ちなくなることがあった。
【０００５】
よって、釣り用の巻きスカートが提案されている（特許文献１参照）。この釣り用巻きスカートは、防汚性と防水性を備えた表地（ナイロン生地からなり、これに撥水加工を施し、その裏面をアクリル樹脂でコーティングしている）と防寒性を備えた裏地と紐とからなり、表地と裏地が着脱自在であり、釣り人は、椅子に座った状態で巻きスカートで腰から足全体を覆うことができ、しかも巻きスカートであるので歩行が通常のスカートに比べて容易であり、餌の付着した表地を洗えば元どおりの綺麗さを保てる、というものである。
【０００６】
しかし、表地には透湿性がなく汗をかくと内部が蒸れた状態で不快になるという問題があった。
【特許文献１】実用新案登録第３０３６５７３号公報（第４〜６頁、図３）
【発明の開示】
【発明が解決しようとする課題】
【０００７】
そこでこの発明は、付着した汚れが染みになり難いと共に汗をかいても蒸れ難い釣り用着衣類を提供しようとするものである。
【課題を解決するための手段】
【０００８】
前記課題を解決するため、この発明では次のような技術的手段を講じている。
(１)この発明の釣り用着衣類は、汚れが付着する可能性がある外装側の生地層とその内装側の防水・透湿層とが積層され、前記外装側の生地層は生地の構成繊維の１本１本が撥水性と撥油性とを有することを特徴とする。
【０００９】
この釣り用着衣類は、汚れが付着する可能性がある外装側の生地層は構成繊維の１本１本が撥水性と撥油性とを有するので、フッ素樹脂コートをスプレーした場合のような生地の表面だけではなく、生地全体として構成繊維そのもの自体が撥水性と撥油性とを発揮できる構造であり、これにより汚れが長時間付着してもこれを弾いて染み込まないようすることができ、各繊維から洗い落とし易い防汚性を発揮させることができる。
【００１０】
すなわち、汚れは餌とするオキアミや釣った魚の血、イカ墨などの汚れに対し、生地の構成繊維の１本１本にまで撥水性と撥油性とを付与すると強力にこれらを弾くこととなって防汚性を好適に発揮させることができる。
【００１１】
また、生地の構成繊維自体が撥水性と撥油性とを有するようにしているので、前記特許文献１のような生地への樹脂コーティングの場合のように生地の目がコーティングにより塞がれることなく通気性を有する。さらに防水・透湿層により、雨水は内部に通さないにもかかわらず汗をかいて発生する蒸気は外部へと放出して蒸れない。
【００１２】
前記外装側の生地層の構成繊維として、例えば天然繊維や合成繊維、及びこのような繊維の混紡に由来する布、不織布、セルロースベースの紙などを用いることができ、織物や編物などの構造とすることができる。前記天然繊維として、例えば綿、羊毛、絹、亜麻などを用いることができる。また前記合成繊維として、例えばポリエステル、ナイロン、ポリアミド、アクリル、オレフィン、アラミド、ニトリル、スパンデックス、ビニルポリマー、またこのような繊維やポリマーの混成体などを用いることができる。
【００１３】
前記内装側の防水・透湿層として、例えば薄いフィルム状の素材で多数の微細な孔を有し、一つの孔の大きさは水滴よりも小さくて且つ水蒸気の分子よりも大きく、水は通さないのに汗の水蒸気は放出する防水・透湿膜（メンブレン）を用いることができる。
【００１４】
そして、釣り用着衣類として、例えばフィッシング・ウェアやベストなどの衣類（着る）、ズボン（はく）、帽子類（被る）、手袋などに適用することができる。
【００１５】
(２) 前記外装側の生地層は、撥水性と撥油性とを付与する組成物で処理された生地よりなることとしてもよい。
【００１６】
このように構成すると、繊維に撥水性と撥油性とを付与する組成物（例えば、特表２００３−５２０８７１号公報参照）が生地の構成繊維の１本１本に付着しているので、生地の目を介して通気性を発揮できると共に撥水性と撥油性を高度に発揮することができる。
【００１７】
ここで、前記公報に記載の繊維に撥水性と撥油性とを付与する組成物は、（１）次のコポリマー：（ａ）フッ素脂肪族ラジカル含有物質、（ｂ）ステアリル（メタ）アクリレート、（ｃ）塩化ビニリデン、塩化ビニル、２−クロロエチルアクリレート、２−クロロエチルビニルエーテル、及び２−クロロエチルビニルエーテルからなる群から選択される塩素含有化合物；及び、（ｄ）無水物官能基を含むか、又は無水物官能基を生成し得るモノマー；並びに（２）該コポリマー中のモノマーから無水物を生成するための触媒を含むものである。
【００１８】
前記液状の組成物への生地の浸漬処理は、外装側の生地層と内装側の防水・透湿層とを積層した状態で行っても、また先に外装側の生地層単独で行った後に防水・透湿層と積層してもよい。
【００１９】
(３) 前記外装側の生地層は、撥水剤と撥油剤とが練り込まれた繊維により形成された生地よりなることとしてもよい。
【００２０】
このように構成すると、生地を形成する繊維には撥水剤と撥油剤（例えば、特開平１０−１２１３２９号公報参照）とが練り込まれているので、生地の目を介して通気性を発揮できると共に撥水性と撥油性を高度に発揮することができる。
【００２１】
ここで、前記公報に記載の繊維に撥水性と撥油性とを付与する撥水剤と撥油剤とが練り込まれた繊維は、繊維表面の50％以上を占める部分がテトラフルオロエチレン・ヘキサフルオロプロピレン・ビニリデンフロライド３元共重合体を２〜50重量％含有するポリエステル組成物からなるものである。
【発明の効果】
【００２２】
この発明は上述のような構成であり、次の効果を有する。
【００２３】
汚れが長時間付着しても各繊維から洗い落とし易い防汚性を発揮させることができるので付着した汚れが染みになり難いと共に、防水・透湿層により汗をかいても蒸れ難い釣り用着衣類を提供することができる。
【発明を実施するための最良の形態】
【００２４】
以下、この発明の実施の形態を図面を参照して説明する。
【００２５】
この釣り用着衣類は、フィッシング・ウェアやベストなどの衣類（着る）、ズボン（はく）、帽子類（被る）、手袋などに適用することができる。
【００２６】
（実施形態１）
図１及び図２に示すように、この実施形態の釣り用着衣類はフィッシング・ウェアとしており、汚れが付着する可能性がある外装側の生地層１とその内装側の防水・透湿層２とが積層・固着されている。内装側の防水・透湿層２の更に内側には、肌触りや保温のための裏地層３を少し間を空けて設けている。
【００２７】
前記外装側の生地層１の構成繊維として、天然繊維や合成繊維、及びこのような繊維の混紡に由来する布、不織布、セルロースベースの紙などを用いることができ、織物や編物などの構造とすることができる。前記天然繊維として、綿、羊毛、絹、亜麻などを用いることができる。また前記合成繊維として、ポリエステル、ナイロン、ポリアミド、アクリル、オレフィン、アラミド、ニトリル、スパンデックス、ビニルポリマー、またこのような繊維やポリマーの混成体などを用いることができる。
【００２８】
前記内装側の防水・透湿層２として、薄いフィルム状の素材で多数の微細な孔を有し、一つの孔の大きさは水滴４よりも小さくて且つ水蒸気の分子よりも大きく、水は通さないのに汗の水蒸気５は放出する防水・透湿膜（ジャパンゴアテックス株式会社製、登録商標ゴアテックス）を用いた。この防水・透湿膜はフッ素系樹脂やウレタン系樹脂などの合成樹脂から形成された薄い多孔質構造で、１平方センチあたり十数億個の微細孔（0.2ミクロン）を有し、ひとつの孔の大きさは水滴の２万分の１で水蒸気の分子の約700倍である。そして、前記外装側の生地層１は生地の構成繊維の１本１本が撥水性、撥油性を有する。前記構成繊維の１本１本が撥水性、撥油性を有する生地として、繊維に対して撥水性と撥油性を付与する組成物で処理された生地（ユニチカ株式会社製、登録商標ｎａｎｏ〜ｐｅｌ加工）を用いた。
【００２９】
次に、この実施形態の釣り用着衣類の使用状態を説明する。
【００３０】
この釣り用着衣類（フィッシング・ウェア）は、汚れが付着する可能性がある外装側の生地層１は構成繊維の１本１本が撥水性、撥油性を有するので、フッ素樹脂コートをスプレーした場合のような生地の表面だけではなく、生地全体として構成繊維そのもの自体が撥水性、撥油性を発揮できる構造であり、これにより汚れが長時間付着しても各繊維から洗い落とし易い防汚性を発揮させることができる。
【００３１】
また、生地の構成繊維自体が撥水性、撥油性を有するようにしているので、生地への樹脂コーティングの場合のように生地の目がコーティングにより塞がれることなく通気性を有する。さらに防水・透湿層２により、雨水は内部に通さないにもかかわらず汗をかいて発生する蒸気は外部へと放出して蒸れない。
【００３２】
すなわち、汚れが長時間付着しても各繊維から洗い落とし易い防汚性を発揮させることができるので付着した汚れが染みになり難いと共に、防水・透湿層により汗をかいても蒸れ難いという利点がある。
【００３３】
また、前記構成繊維の１本１本が撥水性、撥油性を有する生地は、繊維に対して撥水性と撥油性を付与する組成物で処理された生地としており、繊維に撥水性、撥油性を付与する組成物が生地の構成繊維の１本１本に付着しているので、生地の目を介して通気性を発揮できると共に撥水性、撥油性をも高度に発揮することができるという利点がある。
【００３４】
さらに、前記外装側の生地層１と内装側の防水・透湿層２とは積層・固着されており、外装側の生地層１と内装側の防水・透湿層２の間に雨水などが溜まらないという利点がある。このフィッシング・ウェアは降雨時でも使用でき、付着した汚れが染みになり難いと共に汗をかいても蒸れ難いという利点を有する。
【００３５】
（実施形態２）
図３及び図２に示すように、この実施形態の釣り用着衣類はフィッシング・ウェアとしており、汚れが付着する可能性がある外装側の生地層１とその内装側の防水・透湿層２とが積層・固着されている。内装側の防水・透湿層２の更に内側には、肌触りや保温のための裏地層３も積層して設けている。
【００３６】
前記外装側の生地層１の構成繊維として、天然繊維や合成繊維、及びこのような繊維の混紡に由来する布、不織布、セルロースベースの紙などを用いることができ、織物や編物などの構造とすることができる。前記天然繊維として、綿、羊毛、絹、亜麻などを用いることができる。また前記合成繊維として、ポリエステル、ナイロン、ポリアミド、アクリル、オレフィン、アラミド、ニトリル、スパンデックス、ビニルポリマー、またこのような繊維やポリマーの混成体などを用いることができる。
【００３７】
前記内装側の防水・透湿層２として、薄いフィルム状の素材で多数の微細な孔を有し、一つの孔の大きさは水滴４よりも小さくて且つ水蒸気の分子よりも大きく、水は通さないのに汗の水蒸気５は放出する防水・透湿膜（ジャパンゴアテックス株式会社製、登録商標ゴアテックス）を用いた。
【００３８】
そして、前記外装側の生地層１は生地の構成繊維の１本１本が撥水性と撥油性を有する。前記構成繊維の１本１本が撥水性、撥油性を有する生地として、撥水剤と撥油剤が練り込まれた繊維により形成された生地（ユニチカ株式会社製、登録商標ユニガード）を用いた。
【００３９】
次に、この実施形態の釣り用着衣類の使用状態を説明する。
【００４０】
この釣り用着衣類（フィッシング・ウェア）は、汚れが付着する可能性がある外装側の生地層１は構成繊維の１本１本が撥水性、撥油性を有するので、フッ素樹脂コートをスプレーした場合のような生地の表面だけではなく、生地全体として構成繊維そのもの自体が撥水性、撥油性を発揮できる構造であり、これにより汚れが長時間付着しても各繊維から洗い落とし易い防汚性を発揮させることができる。
【００４１】
また、生地の構成繊維自体が撥水性、撥油性を有するようにしているので、生地への樹脂コーティングの場合のように生地の目がコーティングにより塞がれることなく通気性を有する。さらに防水・透湿層２により、雨水は内部に通さないにもかかわらず汗をかいて発生する蒸気は外部へと放出して蒸れない。
【００４２】
すなわち、汚れが長時間付着しても各繊維から洗い落とし易い防汚性を発揮させることができるので付着した汚れが染みになり難いと共に、防水・透湿層により汗をかいても蒸れ難いという利点がある。
【００４３】
また、前記構成繊維の１本１本が撥水性、撥油性を有する生地は、撥水剤、撥油剤が練り込まれた繊維により形成された生地としており、生地を形成する繊維自体が防汚性を有するので、生地の目を介して通気性を発揮できると共に撥水性、撥油性をも高度に発揮することができるという利点がある。
【００４４】
さらに、前記外装側の生地層１と内装側の防水・透湿層２とは積層・固着されており、外装側の生地層１と内装側の防水・透湿層２の間に雨水などが溜まらないという利点がある。このフィッシング・ウェアは降雨時でも使用でき、付着した汚れが染みになり難いと共に汗をかいても蒸れ難いという利点を有する。
【産業上の利用可能性】
【００４５】
付着した汚れが染みになり難いと共に汗をかいても蒸れ難いことによって、種々の釣り用着衣類の用途に適用することができる。
【図面の簡単な説明】
【００４６】
【図１】この発明の釣り用着衣類の実施形態１を説明する斜視図。
【図２】この釣り用着衣類の使用状態を説明する一部分解斜視図。
【図３】この発明の釣り用着衣類の実施形態２を説明する斜視図。
【符号の説明】
【００４７】
１  外装側の生地層
２  内装側の防水・透湿層
【図１】
2006193853.tif 000003
【図２】
2006193853.tif 000004
【図３】
2006193853.tif 000005